(57)【要約】【課題】  トラクタに連結する肥料散布機において、単位面積当たりの肥料散布量の調節を簡単にできるとともに、散布施肥量の精度を向上させる。【解決手段】  肥料を収容するホッパ底部に散布口を有し、この散布口に向けて搬送手段を配設し、トラクタからの動力により搬送手段を駆動するとともに、トラクタからの動力は肥料散布機側に設けた変速装置により変速が可能で、変速することにより肥料の繰出し量を調節できるようにした。また、搬送手段は、スクリュによる搬送にすると良い。【選択図】      図１
2006006107.tif 000002
【特許請求の範囲】
【請求項１】
トラクタに連結する装着部と、肥料を収容するホッパと、肥料を散布する施肥部を有する肥料散布機において、施肥部は、ホッパ底部に散布口を有し、この散布口に向けて搬送手段を配設し、前記装着部に設けた入力軸をトラクタからの動力で駆動し、該入力軸からの動力を変速装置を介して前記肥料搬送手段に伝達し駆動することを特徴としたトラクタに連結する肥料散布機。
【請求項２】
請求項１に記載のトラクタに装着する肥料散布機において、ホッパ底部の肥料搬送手段は、回転軸に螺旋状の羽根を有したスクリュを回転させ搬送することを特徴とする肥料散布機。
【発明の詳細な説明】
【技術分野】
【０００１】
本発明は、トラクタに連結して有機質肥料や粉粒体肥料を筋状に散布する肥料散布機に関するものである。
【背景技術】
【０００２】
本発明は、作物の栽培畝に筋状に肥料を施肥しようとするもので、従来このような肥料散布機としては、例えば実公昭５５−１７６７０７号公報に記載された堆肥散布機が公知である。
【特許文献１】実公昭５５−１７６７０７号公報
【発明の開示】
【発明が解決しようとする課題】
【０００３】
前記従来技術における堆肥散布機の肥料を排出口に繰り出すための繰り出しコンベアの駆動は、接地輪を地面に接地させ、これの駆動力により駆動されるもので、トラクタの走行速度が変化すると、接地輪の回転数も変化し、コンベアの繰出し量も変化することになるが、圃場条件や走行速度条件により接地輪のスリップが発生し、均一な散布量が得られない問題があった。また、単位面積あたりの散布量を変更する場合は、トラクタの走行速度に対しコンベアの繰り出し速度を変更することが有効であるが、接地輪は走行速度に同期しているため、散布量の変更はできない問題があった。
【０００４】
このようなことから、本発明の目的は、施肥部の散布孔への搬送手段の駆動をトラクタの走行速度とは独立させて変速が可能で、走行速度に合った希望する散布量を選択可能で散布量の精度をより向上させたトラクタに連結する肥料散布機を提供することにある。
【課題を解決するための手段】
【０００５】
上記課題を解決するために、トラクタに連結する装着部と、肥料を収容するホッパと、肥料を散布する施肥部を有する肥料散布機において、施肥部は、ホッパ底部に散布口を有し、この散布口に向けて搬送手段を配設し、前記装着部に設けた入力軸をトラクタからの動力で駆動し、該入力軸からの動力を変速装置を介して前記肥料搬送手段に伝達し駆動する。
【０００６】
また、ホッパ底部の肥料搬送手段は、回転軸に螺旋状の羽根を有したスクリュを回転させ搬送する。
【発明の効果】
【０００７】
以上のように構成することにより、トラクタの走行速度とは独立した変速装置により肥料の散布繰出し搬送手段を変速できるため、トラクタの作業速度に合った単位面積当たりの肥料量を選択でき、またトラクタからの動力により肥料繰出し搬送手段を駆動するため、接地輪のスリップ等に影響されることがなく確実に均一な散布量を得ることができる。
【０００８】
また、肥料搬送手段は、回転軸に螺旋状の羽根を有したスクリュを回転させ肥料を搬送するため、ベルトコンベア等に比較し強制的に確実に肥料を搬送するため、スクリュの螺旋ピッチに応じて精度の良い散布量が得られ、少量精密散布にも有効である。
【発明を実施するための最良の形態】
【０００９】
以下、本発明の実施形態を図面に基づいて説明する。図１は本発明を実施した肥料散布機の横断面図、図２は本発明を実施した肥料散布機の後面図、図３は入力軸と変速装置部の要部平面図である。
【００１０】
図において、フレーム１の前方には装着部２が設けてあり、ロアピン２ａとトップリンク用穴２ｂにより、図示されていないがトラクタの３点リンク機構に装着される。
【００１１】
３はホッパで、上部は肥料を投入しやすいように広く開口してあり、肥料が斜面を流れやすいように下方に向けて傾斜させ萎めた形状に構成していて、底部には施肥部７が設けてあり、これらはフレーム１上に載設されている。
【００１２】
施肥部７は、回転軸に螺旋状の羽根を有した繰出しスクリュ４を回転させ、ホッパ３の底部後方に設けた散布口８にホッパ３内の肥料を搬送し落下口８ａより落下させ筋状に散布するものである。９は繰出しスクリュ４の上部に設けた減圧板でホッパ３内の肥料の全圧力が直接繰出しスクリュ４にかからないようにするためのものである。
【００１３】
繰出しスクリュ４は、図示されていないが、トラクタＰＴＯ軸と入力軸５とをユニバーサルジョイントで連結しトラクタの動力により駆動され、入力軸５に入った動力は変速装置６を経由して繰出しスクリュ４に伝達される。変速装置６は繰出しスクリュ４の回転数を変更するためのもので、本実施例ではベルト無段変速装置により変速するように構成してあり、変速ハンドル６ａを回すと、回転速度を設定することができる。変速された動力は、出力スプロケット１１より出力され繰出しスクリュ４に固着された入力スプロケット１２にローラーチェーン１０により伝達され繰出しスクリュ４は駆動される。
【００１４】
車輪１３は、肥料を筋状に散布する畝等を跨いで走行できるように左右の延出したフレームに、水平方向に回動自在に設けたキャスターアーム１３ａにキャスターアーム回動軸とオフセットさせて設けた回転軸で取り付けられていて、肥料散布機を支えている。
【００１５】
１４はキャスター輪で肥料散布機をトラクタの連結から外し、格納や移動する時に取り付けて使用するものである。
【００１６】
１６は溝開け板で、肥料散布する畝や地表面に溝を開けるための装置で、この溝に肥料を散布孔８より落下させて散布することが可能で、散布孔８の後方に設けたディスクロータ１５により前記開けた溝を埋め戻して肥料を土中に埋め込むこともできる。
【００１７】
ディスクロータ１５は、凹状の円板を凹面が斜め前方を向いて畝を跨いで左右両側に配置され、平面視で進行方向に逆八字状に後方が萎むように取り付けて、アーム１５ｃによりフレーム１に対し上下に回動可能で、バネ１５ｂにより下方に弾圧されていて、前方へ進行するとディスクロータが自転し、土を後方へ掻き上げて内側に盛り上げる。
溝開け板１６およびディスクロータ１５は、使用しない時はフレームより取り外しすることができる。
【図面の簡単な説明】
【００１８】
【図１】肥料散布機の横断面図
【図２】肥料散布機の後面図
【図３】入力軸と変速装置部の要部平面図
【符号の説明】
【００１９】
１      フレーム
２      装着部
３      ホッパ
４      繰出しスクリュ
５      入力軸
６      変速装置
６ａ    変速ハンドル
７      施肥部
８      散布口
８ａ    落下口
９      減圧板
１０    ローラーチェーン
１１    出力スプロケット
１２    入力スプロケット
１３    車輪
１３ａ  キャスターアーム
１４    キャスター輪
１５    ディスクロータ
１５ｂ  バネ
１５ｃ  アーム
１６    溝開け板
【図１】
2006006107.tif 000003
【図２】
2006006107.tif 000004
【図３】
2006006107.tif 000005